(57)【要約】【課題】  特別な器具や工具を必要とせず、かつ液だれによる汚れを起こすことなく、タンク内のオイルを簡単に回収することが可能なリザーバタンクの固定構造の提供。【解決手段】  ブラケット９はタンク本体３の中間部１３をその外周から緊締し保持して車体側へ固定する。キャップ５はタンク本体３の上部１１に着脱自在に取り付けられて上端開口１７を覆う。リング７はキャップ５の下方で上部１１に着脱自在に取り付けられる。タンク本体３の下部１５はタンク本体３が上方へ移動してブラケット９から外れるのを阻止する外周形状を有する。上部１１はキャップ５及びリング７が取り外された状態でタンク本体３が下方へ移動してブラケット９から外れるのを許容する外周形状を有する。上部１１に装着されたリング７はタンク本体３が下方へ移動してブラケット９から外れるのを阻止する外周形状を有する。【選択図】  図１
2005075071.tif 000002
【特許請求の範囲】
【請求項１】
上下方向に沿って順に配置される上部と中間部と下部とを有し、前記上部の上端には給油用の上端開口が形成され、前記下部にはリターンパイプが設けられたタンク本体と、
前記タンク本体の中間部を、その外周から緊締し保持して車体側へ固定するブラケットと、
前記タンク本体の上部に着脱自在に取り付けられて前記上端開口を覆うキャップと、
前記キャップの下方で前記タンク本体の上部に着脱自在に取り付けられるタンク固定用のリングと、
を備え、
前記タンク本体の下部は、該タンク本体が前記ブラケットに対して上方へ移動して該ブラケットから外れるのを阻止する外周形状を有し、
前記タンク本体の上部は、前記キャップ及びリングが取り外された状態で、該タンク本体が前記ブラケットに対して下方へ移動して該ブラケットから外れるのを許容する外周形状を有し、
前記タンク本体の上部に装着された前記リングは、該タンク本体が前記ブラケットに対して下方へ移動して該ブラケットから外れるのを阻止する外周形状を有する
ことを特徴とするリザーバタンクの固定構造。
【発明の詳細な説明】
【技術分野】
【０００１】
本発明は、リザーバタンクの固定構造に関する。
【背景技術】
【０００２】
一般に、車両のパワーステアリング装置は、エンジンにより駆動されるオイルポンプと、オイルポンプから送出される循環用のオイルの貯留するリザーバタンクを備えている。リザーバタンクは、緊締リングによって外周から緊締されることにより、車体側へ固定される（例えば、特許文献１参照）。
【０００３】
【特許文献１】特開平１１−３０１５０４号公報
【発明の開示】
【発明が解決しようとする課題】
【０００４】
近年、環境保護等を目的として、パワーステアリング装置の破棄に際し、リザーバタンク内のオイルを回収し適正に処理することが要求されている。オイルの回収は、リザーバタンクに接続されたホースの一部を切断する方法や、リザーバタンクのオイル注入口から吸引用のポンプによってタンク内のオイルを吸引する方法によって行われている。
【０００５】
しかし、ホースの一部を切断する方法では、切断用の工具が必要であり、また、タンク内のオイル回収後、残ったオイルが液だれを起こして床等を汚してしまうという不都合がある。一方、オイルを吸引する方法では、吸引用のポンプという特別な器具が必要となる。
【０００６】
本発明は上記の実情に鑑みてなされたものであって、特別な器具や工具を必要とせず、かつ液だれによる汚れを起こすことなく、リザーバタンク内のオイルを簡単に回収することが可能なリザーバタンクの固定構造の提供を目的とするものである。
【課題を解決するための手段】
【０００７】
上記目的を達成すべく、本発明に係るリザーバタンクの固定構造は、タンク本体と、ブラケットと、キャップと、リングと、を備える。タンク本体は、上下方向に沿って順に配置される上部と中間部と下部とを有し、上部の上端には給油用の上端開口が形成され、下部にはリターンパイプが設けられている。ブラケットは、タンク本体の中間部を、その外周から緊締し保持して車体側へ固定する。キャップは、タンク本体の上部に着脱自在に取り付けられて上端開口を覆う。リングは、キャップの下方でタンク本体の上部に着脱自在に取り付けられる。タンク本体の下部は、タンク本体がブラケットに対して上方へ移動してブラケットから外れるのを阻止する外周形状を有する。タンク本体の上部は、キャップ及びリングが取り外された状態で、タンク本体がブラケットに対して下方へ移動してブラケットから外れるのを許容する外周形状を有する。タンク本体の上部に装着されたリングは、タンク本体がブラケットに対して下方へ移動してブラケットから外れるのを阻止する外周形状を有する。
【０００８】
上記構成では、タンク本体の上部に装着されたリングとタンク本体の下部との間でブラケットの移動が規制され、タンク本体がブラケットを介して車体側に保持される。
【０００９】
パワーステアリング装置の破棄に際し、リザーバタンク内のオイルを回収するときは、キャップ及びリングをタンク本体の上部から取り外し、タンク本体をブラケットの下方に引き抜き、タンク本体を傾けて、タンク本体内のオイルを上端開口から直接除去する。従って、特別な器具や工具を必要とせず、かつ液だれによる汚れを起こすことなく、リザーバタンク内のオイルを簡単に回収することができる。
【発明の効果】
【００１０】
以上説明したように、本発明によれば、特別な器具や工具を必要とせず、かつ液だれによる汚れを起こすことなく、リザーバタンク内のオイルを簡単に回収することができる。
【発明を実施するための最良の形態】
【００１１】
以下、本発明の一実施形態を、図面に基づいて説明する。図１は本実施形態に係るリザーバタンクの固定構造を模式的に示す側断面図、図２は図１のリザーバタンクの外観斜視図、図３は図２のリザーバタンクの分解斜視図である。
【００１２】
図１〜図３に示すように、パワーステアリング装置のリザーバタンク１は、タンク本体３と、キャップ５と、リング７と、を備える。タンク本体３には、上下方向に沿って順に配置される上部１１と中間部１３と下部１５とが一体形成されている。上部１１と中間部１３と下部１５とは、それぞれ略円筒形状を有する。上部１１の上端には給油用の上端開口１７が形成され、下部１５の下端には底部２１が形成されている。下部１５の外周面上には２本のリターンパイプ１９が突出形成されている。
【００１３】
上部１１の外周面には、雄螺子部２３が形成されている。キャップ５は、円板状の蓋部２９と蓋部２９の周縁から突出する略円筒状の外周壁部３１と、外周壁部３１の内側で蓋部２９の内面から外周壁部３１と同方向に突出する略円筒状の内周壁部３３と、を有する。リング７は、略円筒形状を有する。キャップ５の外周壁部３１の内周面及びリング７の内周面には、それぞれ上部１１の雄螺子部２３と螺合する雌螺子部２５，２７が形成されている。キャップ５及びリング７は、各雌螺子部２５，２７が雄螺子部２３と螺合することにより、上部１１に着脱自在に取り付けられる。キャップ５とリング７とは、いわゆるダブルナット構造を構成し、相互の緩みを防止する。キャップ５が上部１１に装着された状態で、内周壁部３３の先端側が上端開口１７の内周面に沿って挿入され、蓋部２９が上端開口１７を覆う。係る状態で、上端開口１７は、キャップ５によって密閉される。
【００１４】
ブラケット９は、環状ベルト部３５と、車体側に固定される固定部（図示省略）と、を有する。環状ベルト部３５は、タンク本体３の中間部１３の外周面上に配置され、ボルト及びナット（図示省略）によって締め付けられる。これにより、環状ベルト部３５は、タンク本体３の中間部１３をその外周から緊締し保持して車体側へ固定する。
【００１５】
タンク本体３の下部１５は、ブラケット９に対してタンク本体３が上方へ移動してブラケット９から外れるのを阻止する外周形状を有する。具体的には、図３に示すように、下部１５の外径（外周面の直径）Ｄ３が中間部１３の外径（外周面の直径）Ｄ２よりも大きく設定されている（Ｄ３＞Ｄ２）。タンク本体３の上部１１は、キャップ５及びリング７が取り外された状態で、ブラケット９に対してタンク本体３が下方へ移動してブラケット９から外れるのを許容する外周形状を有する。具体的には、図３に示すように、上部１１の外径（外周面の直径）Ｄ１が中間部１３の外径（外周面の直径）Ｄ２よりも小さく設定されている（Ｄ１＜Ｄ２）。すなわち、上部１１と中間部１３と下部１５の外径は、Ｄ１＜Ｄ２＜Ｄ３という関係に設定されている。タンク本体３の上部１１に装着されたリング７は、ブラケット９に対してタンク本体３が下方へ移動してブラケット９から外れるのを阻止する外周形状を有する。具体的には、図３に示すように、リング７の外径（外周面の直径）Ｄ４が中間部１３の外径（外周面の直径）Ｄ２よりも大きく設定されているのが好ましい（Ｄ４＞Ｄ２）。若しくは、リング７の外径Ｄ４は、中間部１３を緊締した状態の環状ベルト部３５の外径よりも大きく設定されるのが良く、またリング７の外径Ｄ４は、下部１５の外径Ｄ３と同径でも良い。
【００１６】
リング７は、ブラケット９の下端縁がタンク本体３の下部１５の上端縁と接し、ブラケット９の上端縁がリング７の下端縁と接した状態となるまで、タンク本体３の上部１１にねじ込まれる。係る状態で、タンク本体３の上部１１に装着されたリング７とタンク本体３の下部１５との間でブラケット９の上下方向の移動が完全に阻止され、タンク本体３がブラケット９を介して車体側に保持される。
【００１７】
本実施形態によれば、パワーステアリング装置の破棄に際し、リザーバタンク１内のオイルを回収するときは、キャップ５及びリング７をタンク本体３の上部１１から取り外し、タンク本体３をブラケット９の下方に引き抜き、タンク本体３を傾けて、タンク本体３内のオイルを上端開口１７から直接除去する。従って、特別な器具や工具を必要とせず、かつ液だれによる汚れを起こすことなく、リザーバタンク１内のオイルを簡単に回収することができる。
【００１８】
なお、本実施形態では、タンク本体３の中間部１３及び下部１５やリング７の外面をそれぞれ略円周面状に形成したが、本発明はこれに限定されるものではなく、ブラケットに対するタンク本体の移動を規制する形状であれば良い。例えば、中間部の外面を略円周面状とし、下部及びリングの外面を中間部よりも外側へ突出する角部を有する略矩形状としても良く、反対に中間部の外面を略矩形状とし、下部及びリングの外面を中間部よりも外側へ突出する部分を有する略円周面状としても良い。
【図面の簡単な説明】
【００１９】
【図１】本実施形態に係るリザーバタンクの固定構造を模式的に示す側断面図である。
【図２】図１のリザーバタンクの外観斜視図である。
【図３】図２のリザーバタンクの分解斜視図である
【符号の説明】
【００２０】
１  リザーバタンク
３  タンク本体
５  キャップ
７  リング
９  ブラケット
１１  タンク本体の上部
１３  タンク本体の中間部
１５  タンク本体の下部
１７  上端開口
１９  リターンパイプ
【図１】
2005075071.tif 000003
【図２】
2005075071.tif 000004
【図３】
2005075071.tif 000005